(57)【要約】【課題】折り畳んだ際における折り曲げ箇所の開きを抑制することが可能な養生部材を提供する。【解決手段】養生部材１は、第１シート材１１と第２シート材１２とを備える。第１シート材１１は、外側面部１１１と、内側面部１１２と、複数のリブ１１３とを有している。養生部材１は、第１シート材１１で第２シート材１２を内側に挟み込んだ折り曲げ状態を可能とする第１折り目部１１４、および／または、第２シート材１２で第１シート材１１を内側に挟み込んだ折り曲げ状態を可能とする第２折り目部１２４を有している。第１折り目部１１４は、一対の平行な第１スリット１１５を有している。第２折り目部１１２４は、一本の第２スリット１２５を有している。一対の第１スリット１１５のスリット間隔は、第２シート材１２の厚みの２倍となるように設計されている。【選択図】図８
2019027051.tif 000002
【特許請求の範囲】
【請求項１】
第１シート材と、上記第１シート材の一方面に貼り合わされた第２シート材と、を備えた養生部材であって、
上記第１シート材で上記第２シート材を内側に挟み込んだ折り曲げ状態を可能とする第１折り目部、および／または、上記第２シート材で上記第１シート材を内側に挟み込んだ折り曲げ状態を可能とする第２折り目部を有しており、
上記第１シート材は、外側に配置された外側面部と、上記外側面部に対向して上記外側面部よりも内側に配置され、上記第２シート材が貼り合わされた内側面部と、上記外側面部と上記内側面部との間を繋ぐ複数のリブと、を有しており、
上記第１折り目部は、上記外側面部と複数の上記リブとを切り込み、かつ、上記内側面部を切り込んでいない一対の平行な第１スリットを有しており、
上記第２折り目部は、上記第２シート材と上記内側面部と複数の上記リブとを切り込み、かつ、上記外側面部を切り込んでいない一本の第２スリットを有しており、
一対の上記第１スリットのスリット間隔は、上記第２シート材の厚みの２倍となるように設計されている、養生部材。
【請求項２】
一対の上記第１スリットの先端は、いずれも、上記外側面部と上記内側面部との中間地点よりも上記内側面部寄りに存在しており、
上記第２スリットの先端は、上記内側面部と上記外側面部との中間地点よりも上記外側面部寄りに存在している、請求項１に記載の養生部材。
【請求項３】
各上記リブは、上記養生部材の短手方向に互いに離間した状態で上記養生部材の長手方向に沿って配置されている、請求項１または２に記載の養生部材。
【請求項４】
上記第１シート材の厚みおよび上記第２シート材の厚みが、いずれも２．５ｍｍ以上である、請求項１〜３のいずれか１項に記載の養生部材。
【請求項５】
上記第１シート材の材料は、上記第２シート材の材料よりも硬い、請求項１〜４のいずれか１項に記載の養生部材。
【請求項６】
上記第２シート材は、発泡材料より構成される、請求項１〜５のいずれか１項に記載の養生部材。
【請求項７】
建物の面を保護するために用いられる、請求項１〜６のいずれか１項に記載の養生部材。
【発明の詳細な説明】
【技術分野】
【０００１】
本発明は、養生部材に関する。
【背景技術】
【０００２】
従来より、建物の新築やリフォームの現場等において、建物の床面等を保護するため、シート状の養生部材が使用されている。この種の養生部材としては、例えば、長方形状を呈するプラスチック段ボール等が公知である。長方形状のプラスチック段ボールは、現場までの運搬性を向上させるなどのため、二つ折り、三つ折り、四つ折りなどの形態に折り畳むことができるように折り目部が形成されていることが多い。この折り目部は、通常、プラスチック段ボールの折り曲げたい部分をプレス加工によって圧縮することによって形成されている。
【０００３】
なお、先行する特許文献１には、プラスチック段ボールではないが、木質繊維マットを熱圧プレス成形して折り目部を形成してなる養生部材が開示されている。
【先行技術文献】
【特許文献】
【０００４】
【特許文献１】実用新案登録第３０７４２５１号公報
【発明の概要】
【発明が解決しようとする課題】
【０００５】
しかしながら、耐衝撃性能を向上させるなどのために、養生部材の厚みを増加させた場合には、折り目部にて折り曲げてもきれいに折り畳むことができず、折り曲げ箇所が開きやすいという問題がある。とりわけ、プラスチック段ボールに発泡シート等が貼り合された養生部材では、上記問題が生じやすい。
【０００６】
本発明は、かかる課題に鑑みてなされたものであり、折り畳んだ際における折り曲げ箇所の開きを抑制することが可能な養生部材を提供しようとするものである。
【課題を解決するための手段】
【０００７】
本発明の一態様は、第１シート材と、上記第１シート材の一方面に貼り合わされた第２シート材と、を備えた養生部材であって、
上記第１シート材で上記第２シート材を内側に挟み込んだ折り曲げ状態を可能とする第１折り目部、および／または、上記第２シート材で上記第１シート材を内側に挟み込んだ折り曲げ状態を可能とする第２折り目部を有しており、
上記第１シート材は、外側に配置された外側面部と、上記外側面部に対向して上記外側面部よりも内側に配置され、上記第２シート部が貼り合わされた内側面部と、上記外側面部と上記内側面部との間を繋ぐ複数のリブと、を有しており、
上記第１折り目部は、上記外側面部と複数の上記リブとを切り込み、かつ、上記内側面部を切り込んでいない一対の平行な第１スリットを有しており、
上記第２折り目部は、上記第２シート材と上記内側面部と複数の上記リブとを切り込み、かつ、上記外側面部を切り込んでいない一本の第２スリットを有しており、
一対の上記第１スリットのスリット間隔は、上記第２シート材の厚みの２倍となるように設計されている、養生部材にある。
【発明の効果】
【０００８】
上記養生部材は、上記構成を有する。そのため、上記養生部材が、第１折り目部で折り曲げられた際には、一対の第１スリットの部分にて、第１シート材の厚みに比べて薄い内側面部が折り曲げられ、第２シート材が第１シート材によって内側に挟み込まれた状態となる。この際、一対の第１スリットのスリット間隔は、第２シート材の厚みの２倍となるように設計されているので、当該折り曲げによって対向配置された第１シート材同士の間に、折り曲げられた２枚分の第２シート材が収容される。一方、上記養生部材が、第２折り目部で折り曲げられた際には、第２スリットの部分にて、第１シート材の厚みに比べて薄い外側面部が折り曲げられ、当該折り曲げによって対向配置された第２シート材同士の間に、折り曲げられた２枚分の第１シート材が収容される。これにより、上記養生部材は、折り畳んだ際における折り曲げ箇所の開きを抑制することができる。
【図面の簡単な説明】
【０００９】
【図１】実施形態１の養生部材を、第１シート材側から見た説明図である。
【図２】実施形態１の養生部材を、図１に示す矢印ＩＩ方向から見た説明図である。
【図３】実施形態１の養生部材を、図１に示す矢印ＩＩＩ方向から見て拡大して示した説明図である。
【図４】実施形態１の養生部材における図２に示すＩＶ部分を拡大して示した説明図である。
【図５】実施形態１の養生部材を、第１折り目部にて二つ折りした状態を示した説明図である。
【図６】実施形態１の養生部材を、図５に示す矢印ＶＩ方向から見て拡大して示した説明図である。
【図７】実施形態１の養生部材を、図５に示す矢印ＶＩＩ方向から見て拡大して示した説明図である。
【図８】実施形態２の養生部材を、第１シート材側から見た説明図である。
【図９】実施形態２の養生部材を、図８に示す矢印ＩＸ方向から見た説明図である。
【図１０】実施形態２の養生部材における図９に示すＸ部分を拡大して示した説明図である。
【図１１】実施形態２の養生部材を、第１折り目部および２つの第２折り目部にて四つ折りした状態を示した説明図である。
【図１２】実施形態２の養生部材を、図１１に示す矢印ＸＩＩ方向から見た説明図である。
【図１３】実施形態２の養生部材を、図１１に示す矢印ＸＩＩＩ方向から見て拡大して示した説明図である。
【図１４】実施形態２の養生部材を、図１１に示す矢印ＸＩＶ方向から見て拡大して示した説明図である。
【発明を実施するための形態】
【００１０】
（実施形態１）
実施形態１の養生部材について、図１〜図７を用いて説明する。図１および図２に示されるように、本実施形態の養生部材１は、第１シート材１１と、第１シート材１１の一方面に貼り合わされた第２シート材１２とを備えている。養生部材１は、具体的には、長方形状に形成されており、長手方向および短手方向を有している。養生部材１は、例えば、長手方向の長さを１８００ｍｍ、短手方向の長さを７２０ｍｍなどとすることができる。他にも、例えば、養生部材１は、長手方向の長さを１８２０ｍｍ、短手方向の長さを９１０ｍｍなどとすることもできる。
【００１１】
図３および図４に示されるように、第１シート材１１は、外側面部１１１と、内側面部１１２と、複数のリブ１１３とを有している。外側面部１１１は、外側に配置されている。つまり、外側面部１１１は、第１シート材１１の外表面を含んでいる。内側面部１１２は、外側面部１１１に対向して外側面部１１１よりも内側に配置されている。内側面部１１２には、第２シート材１２が貼り合わされている。複数のリブ１１３は、外側面部１１１と内側面部１１２との間を繋いでいる。
【００１２】
ここで、養生部材１は、図１、図２および図６に示されるように、第１シート材１１で第２シート材１２を内側に挟み込んだ折り曲げ状態を可能とする第１折り目部１１４を有している。本実施形態では、具体的には、図１および図２に示されるように、養生部材１の長手方向を１：１に分ける位置に、養生部材１の短手方向に沿って第１折り目部１１４が形成されている。
【００１３】
図４に示されるように、第１折り目部１１４は、一対の平行な第１スリット１１５を有している。一対の平行な第１スリット１１５は、いずれも、外側面部１１１と複数のリブ１１３とを切り込んでおり、かつ、内側面部１１２を切り込んでいない。本実施形態では、一対の第１スリット１１５の先端は、いずれも、外側面部１１１と内側面部１１２との中間地点よりも内側面部１１２寄りに存在している。この構成によれば、一対の第１スリット１１５の先端が外側面部１１１と内側面部１１２との中間程度に位置している場合に比べ、第１シート材１１で第２シート材１２を内側に挟み込む折り曲げをきれいに行いやすくなる利点がある。また、一対の第１スリット１１５の先端が内側面部１１２に近づけば近づくほど、第１シート材１１の折り曲げられる部分が内側面部１１２だけとなるので、折り曲げ箇所の開き抑制効果を確実なものとしやすくなる。
【００１４】
図４〜図７に示されるように、一対の第１スリット１１５のスリット間隔は、第２シート材１２の厚みの２倍となるように設計されている。なお、「一対の第１スリット１１５のスリット間隔が、第２シート材１２の厚みの２倍となるように設計されている」とは、設計上、一対の第１スリット１１５のスリット間隔が第２シート材１２の厚みの２倍となっていることを意味する。したがって、実際の製品において、一対の第１スリット１１５のスリット間隔が厳密に２倍となっていることを要求するものではなく、製造上のばらつきなどによって、一対の第１スリット１１５のスリット間隔が第２シート材１２の厚みの２倍をわずかに下回ったり、上回ったりしていてもよい。
【００１５】
養生部材１において、第１シート材１１の厚みおよび第２シート材１２の厚みは、いずれも２．５ｍｍ以上とすることができる。第１シート材１１の厚みおよび第２シート材１２の厚みが２．５ｍｍ以上になると、プレス加工による折り目では、折り曲げ箇所の開きを抑制することが難しい。しかしながら、この構成によれば、第１折り目部１１４にて養生部材１を折り畳んだ際における折り曲げ箇所の開きを抑制しやすくなる。第１シート材１１の厚みおよび第２シート１２材の厚みは、折り目部形成効果を十分に発揮させる、養生部材１の耐衝撃性の向上などの観点から、好ましくは、いずれも２．８ｍｍ以上、より好ましくは、いずれも３ｍｍ以上とすることができる。なお、第１シート材１１の厚みおよび第２シート材１２の厚みは、養生部材１を折り畳んだ際の嵩張り抑制、材料コストなどの観点から、好ましくは、いずれも１０ｍｍ以下、より好ましくは、いずれも８ｍｍ以下、さらに好ましくは、いずれも５ｍｍ以下とすることができる。本実施形態では、第１シート材１１の厚みおよび第２シート材１２の厚みは、例えば、いずれも３ｍｍとすることができる。
【００１６】
第１シート材１１において、各リブ１１３は、養生部材１の短手方向に互いに離間した状態で養生部材１の長手方向に沿って配置することができる。この構成によれば、第１スリット１１５や第２スリット１２５（第２実施形態で後述）によるリブ１１３の切り込みを確実なものとすることができる。なお、本実施形態では、第１シート材１１は、隣接するリブ１１３間と外側面部１１１と内側面部１１２とによって囲まれた中空部を複数有する中空構造とされている。
【００１７】
本実施形態において、第１シート材１１の材料は、第２シート材１２の材料よりも硬い構成とすることができる。第１シート材１１の材料が第２シート材１２の材料よりも硬い場合に、第１折り目部１１４ではなく、プレス加工等による折り目により、第１シート材１１で第２シート材１２を内側に挟み込んだ折り曲げ状態を形成しようとすると、折り曲げ箇所が開きやすい。これに対して、本実施形態の養生部材１は、上述した第１折り目部１１４を有しているので、第１シート材１１の材料が第２シート材１２の材料よりも硬い場合であっても、第１シート材１１で第２シート材１２を内側に挟み込んだ折り曲げ状態を構成しても折り曲げ箇所が開き難く、上記作用効果を享受しやすい利点がある。また、この構成によれば、第１シート材１１側を養生部材１のおもて面として使用することで、第１シート材１１による耐衝撃性の確保を確実なものとすることができる。
【００１８】
本実施形態において、第２シート材１２は、発泡材料より構成することができる。この構成によれば、養生部材１を第１折り目部１１４で折り畳んだ際に、第１スリット部１１５の延長線と第２シート材１２の外側面との交わり部分が圧縮によって潰れやすくなり、第１シート材１１で第２シート材１２を内側に挟み込んだ折り曲げ状態を形成しやすくなる利点がある。また、この構成によれば、第１シート材１１に衝撃が加わった場合でも、第２シート材１２によるクッション性により、養生部材１によって養生される被養生部位の保護性に優れる。なお、本実施形態では、第２シート材１２は、発泡ポリエチレンなどより構成することができる。
【００１９】
養生部材１は、建物の面を保護するために用いることができる。建物の面としては、具体的には、例えば、建物の床面、壁面などを例示することができる。
【００２０】
本実施形態の養生部材１は、上記構成を有する。そのため、養生部材１は、図６および図７に示されるように、第１折り目部１１４で折り曲げられた際には、一対の第１スリット１１５の部分にて、第１シート材１１の厚みに比べて薄い内側面部１１２が折り曲げられ、第２シート材１２が第１シート材１１によって内側に挟み込まれた状態となる。この際、一対の第１スリット１１５のスリット間隔は、第２シート材１２の厚みの２倍となるように設計されているので、当該折り曲げによって対向配置された第１シート材１１同士の間に、折り曲げられた２枚分の第２シート材１２が収容される。これにより、本実施形態の養生部材１は、第１折り目部１１４にて折り畳んだ際における折り曲げ箇所の開きを抑制することができる。
【００２１】
（実施形態２）
実施形態２の養生部材について、図８〜図１４を用いて説明する。
【００２２】
図８、図９および図１２に例示されるように、本実施形態の養生部材１は、第１シート材１１で第２シート材１２を内側に挟み込んだ折り曲げ状態を可能とする第１折り目部１１４以外にも、第２シート材１２で第１シート材１１を内側に挟み込んだ折り曲げ状態を可能とする第２折り目部１２４を有している。本実施形態では、具体的には、養生部材１の長手方向を２：２に分ける位置に、養生部材１の短手方向に沿って第１実施形態で説明した第１折り目部１１４が形成されている。なお、第１折り目部１１４の詳細については、実施形態１と同様であるので説明は省略する。また、養生部材１の長手方向を１：３に分ける位置、および、養生部材１の長手方向を３：１に分ける位置に、それぞれ、養生部材１の短手方向に沿って第２折り目部１２４が形成されている。
【００２３】
図１０に示されるように、第２折り目部１２４は、一本の第２スリット１２５を有している。一本の第２スリット１２５は、第２シート材１２と内側面部１１２と複数のリブ１１３とを切り込んでおり、かつ、外側面部１１１を切り込んでいない。本実施形態では、第２スリット１２５の先端は、内側面部１１２と外側面部１１１との中間地点よりも外側面部１１１寄りに存在している。この構成によれば、第２スリット１２５の先端が内側面部１１２と外側面部１１１との中間程度に位置している場合に比べ、第２シート材１２で第１シート材１１を内側に挟み込む折り曲げをきれいに行いやすくなる利点がある。また、第２スリット１２５の先端が外側面部１１１に近づけば近づくほど、第１シート材１１の折り曲げられる部分が外側面部１１１だけとなるので、折り曲げ箇所の開き抑制効果を確実なものとしやすくなる。
【００２４】
養生部材１において、第１シート材１１の厚みおよび第２シート材１２の厚みが、いずれも２．５ｍｍ以上である場合には、第２折り目部１２４にて養生部材１を折り畳んだ際における折り曲げ箇所の開きを抑制しやすくなる。
【００２５】
本実施形態の養生部材１は、上記構成を有する。そのため、養生部材１は、図１２〜図１４に示されるように、第２折り目部１２４で折り曲げられた際には、第２スリット１２５の部分にて、第１シート材１１の厚みに比べて薄い外側面部１１１が折り曲げられ、当該折り曲げによって対向配置された第２シート材１２同士の間に、折り曲げられた２枚分の第１シート材１１が収容される。これにより、本実施形態の養生部材１は、第２折り目部１２４にて折り畳んだ際における折り曲げ箇所の開きを抑制することができる。なお、第１折り目部１１４による折り曲げについては、実施形態１で上述した通りであり、本実施形態の養生部材１は、第１折り目部１１４にて折り畳んだ際における折り曲げ箇所の開きも抑制することができる。その他の構成および作用効果は、実施形態１と同様である。
【００２６】
本発明は、上記各実施形態に限定されるものではなく、その要旨を逸脱しない範囲において種々の変更が可能である。
【００２７】
例えば、第１実施形態では、養生部材１を二つ折り可能に構成した例を、第２実施形態では、養生部材１を四つ折り可能に構成した例を示した。養生部材１は、これら以外にも、例えば、養生部材１の長手方向を１：２に分ける位置に、養生部材１の短手方向に沿って第１折り目部１１４を形成するとともに、養生部材１の長手方向を２：１に分ける位置に、養生部材１の短手方向に沿って第２折り目部１２４を形成することにより、養生部材１を三つ折り可能に構成することもできる。このように、養生部材１は、第１折り目部１１４、第２折り目部１２４を適宜配置することにより、上記折り畳み例以外の折り畳み形態を構成可能なものである。
【符号の説明】
【００２８】
１  養生部材
１１  第１シート材
１１１  外側面部
１１２  内側面部
１１３  リブ
１１４  第１折り目部
１１５  第１スリット
１２  第２シート材
１２４  第２折り目部
１２５  第２スリット
【図１】
2019027051.tif 000003
【図２】
2019027051.tif 000004
【図３】
2019027051.tif 000005
【図４】
2019027051.tif 000006
【図５】
2019027051.tif 000007
【図６】
2019027051.tif 000008
【図７】
2019027051.tif 000009
【図８】
2019027051.tif 000010
【図９】
2019027051.tif 000011
【図１０】
2019027051.tif 000012
【図１１】
2019027051.tif 000013
【図１２】
2019027051.tif 000014
【図１３】
2019027051.tif 000015
【図１４】
2019027051.tif 000016